(57)【要約】【課題】携帯用無線機等の本体に、ベルトクリップ等の付加部材を取り付ける構造に関し、着脱可能であって且つ使用中には容易には外れないシンプルな取り付け構造を提供すること。【解決手段】本発明においては、本体側には、付加部材側に形成されたベースプレートを収納する収納部と、収納されたベースプレートを係止する係止突起とが形成され、付加部材側には、係止突起が係合し得るように前記ベースプレートに形成された係止孔と、係止突起と係止孔との係合状態を付勢力によって保持するようにベースプレートを係止突起側へ付勢する付勢手段とが形成され、ベースプレートには、平板部と前記係止孔とが形成され、収納部には、ベースプレートの平板部の縁の厚みより深く、且つ縁をガイドしつつ保持して収納する溝が形成され、付加部材が本体に取り付けられて、係止突起と係止孔とが係合状態のときに、付勢手段に抗して前記ベースプレートを引き上げると、係止突起と係止孔との係合状態が解除されるように構成されている。【選択図】      図１
2008032159.tif 000002
【特許請求の範囲】
【請求項１】
機器の本体と付加部材とを着脱可能に取り付ける付加部材の取り付け構造において、
前記本体側には、前記付加部材側に形成されたベースプレートを収納する収納部と、
収納されたベースプレートを係止する係止突起とが形成され、
前記付加部材側には、前記係止突起が係合し得るように前記ベースプレートに形成された係止孔と、
前記係止突起と係止孔との係合状態を付勢力によって保持するように前記ベースプレートを前記係止突起側へ付勢する付勢手段とが形成され、
前記ベースプレートには、平板部と前記係止孔とが形成され、
前記収納部には、前記ベースプレートの平板部の縁の厚みより深く、且つ前記縁をガイドしつつ保持して収納する溝が形成され、
前記付加部材が前記本体に取り付けられて、前記係止突起と前記係止孔とが係合状態のときに、前記付勢手段に抗して前記ベースプレートを引き上げると、前記係止突起と係止孔との係合状態が解除されるように構成されていることを特徴とする付加部材の取り付け構造。
【発明の詳細な説明】
【技術分野】
【０００１】
本発明は、携帯型電子機器等の機器の本体に付加部材を着脱可能に取り付けるための取り付け構造に関するものである。
【背景技術】
【０００２】
従来より、携帯型電子機器と、該機器に着脱可能な付加部材との、取り付け構造に関する構造としては、携帯型トランシーバ等の携帯型電子機器の本体と、該本体に着脱可能なベルトクリップ部材等の付加部材との取り付け構造において、前記本体には断面形状がＴ字状のレール部を形成するとともに、前記レール部の両外側に、前記レール部に沿った壁面を形成し、前記付加部材には前記レール部と前記壁面との間に嵌まりこんだ状態でスライド可能なスライド部を形成し、取り付け状態においては、前記レール部と前記壁面とで前記スライド部の内側と外側とが支持されるように構成されたものが提案されている。（例えば、特許文献１参照）
【０００３】
また、携帯型電子機器の背面に収納部を備えた本体側の接合部を形成し、付加部材には前記本体側係合部に収納し得るベルトクリップ側の接合部を形成して、ベルトクリップを着脱可能に取り付ける構造が提案されている。また、前記ベルトクリップ側の接合部にはロック爪が形成され、前記本体側の接合部にはロック孔が形成されている。（例えば、特許文献２参照）
【０００４】
【特許文献１】特開２００５−２１４３３２号公報の図１、２、４、５、およびその説明
【特許文献２】特開平２−１０２９０５号公報の図２、３、およびその説明
【発明の開示】
【発明が解決しようとする課題】
【０００５】
ところが、上述したような特許文献１、２の構造では、構成部材の数が多くなり、各部材の形状も複雑なものとなるので、製造コストが高くなるという不具合があった。また、本体に取り付けた付加部材を取り外すことが困難であるという不具合もあった。
【０００６】
そこで、本発明は、着脱可能であって且つ使用中には容易には外れないシンプルな取り付け構造を提供するためになされたものである。
【課題を解決するための手段】
【０００７】
本発明にかかる請求項１の付加部材の取り付け構造においては、
機器の本体と付加部材とを着脱可能に取り付ける付加部材の取り付け構造において、
前記本体側には、前記付加部材側に形成されたベースプレートを収納する収納部と、
収納されたベースプレートを係止する係止突起とが形成され、
前記付加部材側には、前記係止突起が係合し得るように前記ベースプレートに形成された係止孔と、前記係止突起と係止孔との係合状態を付勢力によって保持するように前記ベースプレートを前記係止突起側へ付勢する付勢手段とが形成され、
前記ベースプレートには、平板部と前記係止孔とが形成され、
前記収納部には、前記ベースプレートの平板部の縁の厚みより深く、且つ前記縁をガイドしつつ保持して収納する溝が形成され、
前記付加部材が前記本体に取り付けられて、前記係止突起と前記係止孔とが係合状態のときに、前記付勢手段に抗して前記ベースプレートを引き上げると、前記係止突起と係止孔との係合状態が解除されるように構成されている。
【発明の効果】
【０００８】
請求項１の付加部材の取り付け構造においては、
本体側には、付加部材側に形成されたベースプレートを収納する収納部と、
収納されたベースプレートを係止する係止突起とが形成され、
前記付加部材側には、前記係止突起が係合し得るように前記ベースプレートに形成された係止孔と、前記係止突起と係止孔との係合状態を付勢力によって保持するように前記ベースプレートを前記係止突起側へ付勢する付勢手段とが形成されているので、取り付け状態では容易には外れない。
さらに、前記収納部には、前記ベースプレートの平板部の縁の厚みより深く、且つ前記縁をガイドしつつ保持して収納する溝が形成され、
前記付加部材が前記本体に取り付けられて、前記係止突起と前記係止孔とが係合状態のときに、前記付勢手段に抗して前記ベースプレートを引き上げると、前記係止突起と係止孔との係合状態が解除されるように構成されているので、特別な工具などを用いなくても、前記付勢手段に抗して前記ベースプレートを引き上げることによって、係合状態を解除し、付加部材を本体から取り外すことができる。
また、前記ベースプレートは、平板部と前記係止孔とが形成されたシンプルな構造であるので、少ない構成部品数で、上記効果の得られる付加部材の取り付け構造を提供できる。
【発明を実施するための最良の形態】
【０００９】
以下に、本発明にかかる付加部材の取り付け構造を、その実施の形態を示した図面に基づいて詳細に説明する。
図１、２において、１は本発明の取り付け構造を備えた携帯型無線機等の機器であり、電気回路を内蔵した機器の本体２の背面に、付加部材としてのベルトクリップ３が着脱可能に取り付けられている。図１はベルトクリップ３を装着した状態を示し、図２は取り外し状態を示している。
前記ベルトクリップ３に備えられた被係合部としてのベースプレート３１を、図１に示したように、前記本体２に形成された係合部としての収納部２１に差し込むことによって、前記ベルトクリップ３が前記本体２に係合されるように構成されている。
【００１０】
前記本体２の収納部２１と、前記ベルトクリップ３のベースプレート３１との係合状態を示す要部拡大図を図３に示し、その断面図を図４、５に示した。
図示したように取り付けられているベルトクリップ３を本体２から取り外すときには、クリッププレート３２の先端部３２２を本体側から引き離す方向（図１、５の矢印Ａの方向）に引き上げながら、ベースプレート３１を本体２の上方（図１、５の矢印Ｂ）にスライドさせる。
【００１１】
本体２の背面に形成された収納部２１は、図４、５、６、７で示したように、前記ベースプレート３１の平板部３１１が挿入され得る空間２１１と、挿入されるベースプレート３１の平板部３１１をガイドするとともに、挿入されたベースプレート３１が付勢手段によって浮き上がることを防止するための一対の押さえ部材２１２と、挿入されたベースプレート３１が不用意に脱落しないように係止する係止突起２１３とを備えている。
前記空間２１１は、図６に示したように、前記一対の押さえ部材２１３の内側に形成される溝２１４の奥に形成される左右両側の壁と底面とで、上方に開いたコ字状の断面形状を備えている。
【００１２】
そして、前記空間２１１は、図４、５に示したように、ベースプレート２１が収まるように形成され、また、図６、７に示したように、押さえ部材２１２の内側に形成される溝２１４の入り口側（上方側）の高さｈ１は、ベースプレート３１の平板部３１１の厚さに、係止突起２１３の高さを加えたものより大きく形成されて、ベースプレート３１の平板部３１１が、係止突起２１３を乗り越えてベルトクリップ３の着脱方向にスライドすることができるように形成されている。そして、図７に示したように、前記溝２１４の奥口側（下方側）の高さｈ２は、前記入り口側（上方側）の高さｈ１より小さくて、前記平板部３１１の厚みより僅かに大きく形成されている。
【００１３】
また、押さえ部材２１２、係止突起２１３は、本体２の背面に一体成型されている。
図５に示すように、係止突起２１３の高さは、ベースプレート３１の平板部３１１の厚みよりも大きく、図７に示すように、係止突起２１３の上面２１３ａは、空間２１１側が高く、本体２の上方に向かって低くなるように傾斜したスロープ形状になり、ベルトクリップ３を取り付けるときに、ベースプレート３１の平板部３１１が容易に乗り越えることができるように構成されている。
【００１４】
前記ベルトクリップ３は、図９、１０にも示したように、前記ベースプレート３１と、クリッププレート３２と、付勢手段としてのまきバネ３３とで構成されている。
【００１５】
そして、前記ベースプレート３１は金属製の剛体であり、図１１に示したように、前記平板部３１１と、この平板部３１１の一方の縁を折り曲げて形成された返し部３１２と、この平板部３１１の前記一方の縁に直交する一対の縁の近傍を打ち抜いて引き起こして形成された軸受け部３１３とを備えている。
また、前記ベースプレート３１の平板部３１１と前記返し部３１２との境界部分には、取り付け時において前記係止突起２１３と係止し得る係止孔３１４が形成され、前記平板部３１１の前記返し部３１２に対向する他方の縁には切欠き部３１５が形成されている。
前記クリッププレート３２に形成された軸受け部３２１と、付勢方向とは逆方向に弾性変形させた前記まきバネ３３と、前記ベースプレート３１に形成された軸受け部３１３とに、シャフト３４を挿通して端部をカシメることによって、ベルトクリップ３は組み立てられている。
【００１６】
以上のように構成されているベルトクリップ３を、前記本体２に装着するときには、前記ベルトクリップ３のベースプレート３１を、前記本体２の背面の上方から前記収納部２１の空間２１１にスライドさせて収納する。このとき、前記ベースプレート３１の両端は前記押さえ部材２１２の内側に形成された溝２１４でガイドされる。
前記ベースプレート３１を前記空間２１１に挿入しようとすると、まず、収納部２１の係止突起２１３が前記ベースプレート３１の平板部３１１に形成された切欠き部３１５に収まる。
【００１７】
前記ベースプレート３１をさらに押し込むと、ベースプレート３１の平板部３１１は係止突起２１３の上面２１３ａに沿って乗り越えて、押さえ部材２１２の内側に形成された溝２１４でガイドされつつスライドする。
この際、クリッププレート３２の後端部３２２は、本体２の背面に接触することで、図５に示すように、クリッププレート３２は反時計回り方向（矢印Ｃの方向）への回転が規制される。こうすることで、クリッププレート３２とベースプレート３１とに挟まれるまきバネ３３は、ベルトクリップ３が取り外されている状態と比較して縮められているので復元力によって、矢印Dの方向への付勢力が発生する。
そして、前記ベースプレート３１を前記空間２１１の奥まで挿入したときには、前記係止突起２１３が、前記ベースプレート３１の係止孔３１４に嵌まり込んで、挿入されたベースプレート３１が収納部２１から不用意に脱落しないように係止する。
この状態では、前記まきバネ３３の弾性復元力によって、ベースプレート３１の平板部３１１は収納部２１の本体２に押しつけられた状態となり、前記係合孔３１４と前記係止突起２１３との係合状態は容易には解除されないようになっている。
【００１８】
次に、前記ベルトクリップ３を、前記本体２から取り外すときには、
前記ベルトクリップ３の先端部３２２を本体２側から浮き上がらせる方向（図１、５の矢印Ａの方向）に引き上げると、平板部３１１の下方の縁は、前記押さえ部材２１２によって浮き上がらないように押さえられているので、前記ベースプレート３１の平板部３１１の返し部３１２側が浮き上がり、平板部３１１は、まきバネ３３の弾性付勢力に抗して、まきバネ３３を弾性変形させる方向（付勢方向の逆方向）に回転する。したがって、平板部３１１は．図１２の（ａ）に示した係合状態から、図１２の（ｂ）に示した係合解除状態に移行するので、前記係合突起２１３と係合孔３１４との係合状態が解除される。
そこで、前記ベルトクリップ３を取り外す方向（図１、５の矢印Ｂの方向）にスライドさせると、ベースプレート３１が収納部２１から外れて、ベルトクリップ３を本体２から取り外すことができるのである。
【００１９】
前記ベルトクリップ３は、樹脂で一体成形されたクリッププレート３２と、金属板を打ち抜き曲成加工したベースプレート３１と、まきバネ３３と、シャフト３４の４つの部品で構成されているとともに、前記本体２の収納部２１は樹脂成形されたものであるので、従来の着脱可能なベルトクリップの取り付け構造よりシンプルな構成であり、低コストで製造することができる。
【実施例１】
【００２０】
実施例１の取り付け構造においては、
前記ベースプレート３１の平板部３１１の大きさ（幅、奥行き）は、前記収納部２１の空間２１１の大きさ（幅、奥行き）に合わせて、収納状態では確実に保持され、且つ、前述した操作で係合状態を解除して、取り外すことが可能なように構成されている。
また、前記ベースプレート３１の厚さは、前記押さえ部材２１２に形成される溝２１４に沿ってスライド可能な厚さであって、且つ、通常の操作では容易に変形しない強度を持った金属製の剛体で構成されている。
また、前記ベースプレート３１に形成されている係止孔３１４の位置および大きさと、切欠き部３１５の位置および大きさとは、前記係止突起２１３の位置と大きさに応じて設計されており、前記返し部３１２の長さと形状は、ベルトクリップ３を本体２から取り外すときに外力を加えやすいように、前記まきバネ３３の付勢力に応じて設計されている。
【産業上の利用可能性】
【００２１】
本発明の付加部材の取り付け構造は、携帯型トランシーバ等の電子機器に限らず、種々の機器全般において、ベルトクリップ部材やストラップホルダー等の種々の付加部材の取り付けに利用することが可能である。
【図面の簡単な説明】
【００２２】
【図１】本発明にかかる付加部材の取り付け構造の実施の形態の全体斜視図である。
【図２】前記付加部材の取り付け構造の分解斜視図である。
【図３】図１の要部拡大図である。
【図４】図３の要部の断面図である。
【図５】図４のＸ−Ｘ線断面図である。
【図６】本体の要部の断面図である。
【図７】図６のＸ−Ｘ線断面図である。
【図８】ベルトクリップの単体の斜視図である。
【図９】ベルトクリップの分解状態の側面図である。
【図１０】ベルトクリップの分解状態の正面図である。
【図１１】ベースプレートの平面図である。
【図１２】ベースプレートの係合状態と係合解除状態とを説明する断面図である。
【符号の説明】
【００２３】
１  電子機器
２  本体
２１  収納部
２１１  空間
２１２  押さえ部材
２１３  係止突起
３  ベルトクリップ
３１  ベースプレート
３１１  平板部
３１２  返し部
３１３  軸受け部
３１４  係止孔
３２  クリッププレート
３２１  軸受け部
３３  まきバネ
３４  シャフト
【図１】
2008032159.tif 000003
【図２】
2008032159.tif 000004
【図３】
2008032159.tif 000005
【図４】
2008032159.tif 000006
【図５】
2008032159.tif 000007
【図６】
2008032159.tif 000008
【図７】
2008032159.tif 000009
【図８】
2008032159.tif 000010
【図９】
2008032159.tif 000011
【図１０】
2008032159.tif 000012
【図１１】
2008032159.tif 000013
【図１２】
2008032159.tif 000014